(57)【要約】【課題】吸気時の吸気ガスを常に好適な状態の温・湿度に加温、加湿し、安定した温湿度に保持して、生体への負荷を著しく軽減し得る呼吸ガス用温湿度交換器を得る。【解決手段】気管内チューブまたは気管切開チューブ２０に接続される患者側開口部１と、呼吸用ガス導入チューブに接続されるガス導入開口部２とを有するハウジング３内に、湿熱蓄積体４を、通気可能に配設するとともに、前記患者側開口部１側に、補助湿熱蓄積体１１を配設した呼吸ガス用温湿度交換器である。【選択図】図１
2006136461.tif 000002
【特許請求の範囲】
【請求項１】
気管内チューブまたは気管切開チューブに接続される患者側開口部と、呼吸用ガス導入チューブに接続されるガス導入開口部とを有するハウジング内に、
湿熱蓄積体を、通気可能に配設するとともに、
前記患者側開口部側に、補助湿熱蓄積体を配設したことを特徴とする呼吸ガス用温湿度交換器。
【請求項２】
前記補助湿熱蓄積体には、吸湿性物質が含有されていることを特徴とする請求項１に記載の呼吸ガス用温湿度交換器。
【請求項３】
前記補助湿熱蓄積体が、コルゲート紙片を巻き重ねたロール状のものであることを特徴とする請求項１に記載の呼吸ガス用温湿度交換器。
【請求項４】
前記補助湿熱蓄積体が、コルゲート紙片を積層したものであることを特徴とする請求項１に記載の呼吸ガス用温湿度交換器。
【請求項５】
前記吸湿性物質は、グリセリン、ポリビニルピロリドン、ポリアクリル酸、ポリアクリル酸塩類、ポリビニルアルコール、グリコール類、塩化カルシウム、および塩化リチウムよりなる群から選択される少なくとも１種の化合物であることを特徴とする請求項２に記載の呼吸ガス用温湿度交換器。
【発明の詳細な説明】
【技術分野】
【０００１】
本発明は、麻酔器、人工呼吸器等を患者に使用するにあたって、吸気ガスの温度、湿度を好適な状態に保持するための呼吸ガス用温湿度交換器に関するものである。
【背景技術】
【０００２】
呼吸ガス用温湿度交換器にあっては、吸気時の吸気ガスに十分な湿度を安定して保持し供給すること、そして圧力損失を小さくして、均一であることが要求される。このような温湿度交換器として、例えば特開昭６１−２８０８７１号公報に開示されたものがある。これを図５ないし図８の図面を参照して説明する。
図５は従来の呼吸ガス用温湿度交換器の一例を説明する斜視図であり、図６は図５のＡ−Ａ'線に沿って切載した断面図であり、図７は図６のＢ−Ｂ'線に沿って切載した断面図である。
【０００３】
この呼吸ガス用温湿度交換器５０は、一端に患者の気管に挿入される気管内チューブ２０が接続される患者側開口部１と、他端に麻酔器、人工呼吸器（図示せず）等に連通する呼吸用ガス導入チューブ２１が接続されるガス導入開口部２とが配設された、断面がほぼ方形のハウジング３内に湿熱蓄積体４を収納して構成されている。
【０００４】
この湿熱蓄積体４は、図８に図示するような波形状紙片４１と平坦な紙片４２とを重ね合わせたコルゲート紙片４０を、図７に示すように波形状紙片４１と平坦な紙片４２とが交互に平行に積層されてなるものであり、そして波形状紙片４１と平坦な紙片４２との間に形成される空隙流路部４３が、前記患者側開口部１とガス導入開口部２とに連通するようにハウジング３内に配設されているものである。
【０００５】
また、上記コルゲート紙片４０を形成している波形状紙片４１と平坦な紙片４２は、その厚さが０.０１〜０.３０ｍｍであり、、植物繊維、ビスコースレーヨン、セルロース、アセテートなどの繊維からなる紙が用いられる。また、ポリアミド系、ポリエステル系、ポリウレタン系、ポリアクリルニトリル系、ポリビニルアルコール系等の合成繊維も用いられることもある。
さらに、湿熱蓄積体４には、グリセリン、ポリビニルピロリドン、ポリアクリル酸、ポリアクリル酸塩類、ポリビニルアルコール、グリコール類、塩化カルシウムおよび塩化リチウムから選択される少なくとも１種の化合物からなる吸湿性物質が含浸されている。
【０００６】
このような呼吸ガス用温湿度交換器５０は、患者に麻酔または人工呼吸を行うにあたって、気管内チューブ２０が患者の気管に挿入され、呼吸用ガス導入チューブ２１が麻酔器、人工呼吸器（図示せず）に連通して、患者に装着される。この状態で、患者に呼吸を行わせると、温湿度交換器５０には交互に呼気、吸気が流通する。
【０００７】
呼気の時には、呼気ガスが患者側開口部１よりハウジング３内に流入し、コルゲート紙片４０の空隙流路部４３及びコルゲート紙片４０の積層間間隙を通過する。この時、呼気ガス中に含まれている熱がコルゲート紙片４０に伝熱し、呼気ガス自身は冷却され、過飽和となった水分は凝縮し、水滴となってコルゲート紙片４０に付着し、結局、熱と水分がコルゲート紙片４０からなる湿熱蓄積体４に蓄積される。この際、コルゲート紙片４０が好適量の吸湿性物質を含有すると、多くの水分が蓄積されることとなり、高い吸湿機能を発揮する。
【０００８】
次に、吸気の時には、吸気ガスがガス導入開口部２よりハウジング３内に流入し、湿熱蓄積体４を形成するコルゲート紙片４０の空隙流路部４３及びコルゲート紙片４０の積層間間隙を通過を通過する。この時にコルゲート紙片４０に蓄積された熱及び水分は、吸気ガス中に放出され、吸気ガスはより自然呼吸に近い状態に加温、加湿される。
【０００９】
このような呼気ガスおよび吸気ガスが湿熱蓄積体４を通過するに際しては、コルゲート紙片４０が規則正しく平行に積層されているため、一定容積中の温湿熱交換を行う表面積が広く、加温、加湿性能が高く、より自然呼吸に近い温湿度状態を安定的に維持し得るというものである。
【特許文献１】特開昭６１−２８０８７１号公報
【発明の開示】
【発明が解決しようとする課題】
【００１０】
しかしながら、従来の呼吸ガス用温湿度交換器５０にあっては、湿熱蓄積体４の患者側開口部１側の付近で結露し、この結露が湿熱蓄積体４にすべて捕捉されずに、一部が患者側開口部１に滞留し、湿熱蓄積体４に吸収される熱と水分が損失することとなり、吸気ガスを好適な状態の温湿度に加温、加湿し、保持することが困難なことがあった。
【００１１】
本発明は、上記事情に鑑みなされたもので、呼吸ガス用温湿度交換器の患者側開口部１側での結露を防止し、吸気時の吸気ガスを常に好適な状態の温湿度に加温、加湿し、安定した温湿度に保持する呼吸ガス用温湿度交換器を提供することを、本発明の課題とするものである。
【課題を解決するための手段】
【００１２】
本発明は、上記課題を解決するため、
請求項１にかかる発明は、気管内チューブまたは気管切開チューブに接続される患者側開口部と、呼吸用ガス導入チューブに接続されるガス導入開口部とを有するハウジング内に、
湿熱蓄積体を、通気可能に配設するとともに、
前記患者側開口部側に、補助湿熱蓄積体を配設したことを特徴とする呼吸ガス用温湿度交換器である。
【００１３】
請求項２にかかる発明は、前記補助湿熱蓄積体には、吸湿性物質が含有されていることを特徴とする請求項１に記載の呼吸ガス用温湿度交換器である。
請求項３にかかる発明は、前記補助湿熱蓄積体が、コルゲート紙片を巻き重ねたロール状のものであることを特徴とする請求項１に記載の呼吸ガス用温湿度交換器である。
【００１４】
請求項４にかかる発明は、前記補助湿熱蓄積体が、コルゲート紙片を積層したものであることを特徴とする請求項１に記載の呼吸ガス用温湿度交換器である。
請求項５にかかる発明は、前記吸湿性物質は、グリセリン、ポリビニルピロリドン、ポリアクリル酸、ポリアクリル酸塩類、ポリビニルアルコール、グリコール類、塩化カルシウム、および塩化リチウムよりなる群から選択される少なくとも１種の化合物であることを特徴とする請求項２に記載の呼吸ガス用温湿度交換器である。
【発明の効果】
【００１５】
本発明の呼吸ガス用温湿度交換器にあっては、湿熱蓄積体を配設したハウジングの患者側開口部に、補助湿熱蓄積体を設けたので、これにより呼気時の呼気中の水分を湿熱蓄積体に至る前の患者側で捕捉でき、患者側開口部や湿熱蓄積体に至る前のハウジング内部での結露を減少せしめることが出来る。
【００１６】
しかも、患者側開口部で結露が生じても、この結露は患者側開口部に配した補助湿熱蓄積体に吸収され、吸気の際に吸気を加湿するのに利用される効果を奏する。
この結果、本発明の呼吸ガス用温湿度交換器は、吸気ガスに、常に適切な温度と温度に加温加湿して、安定した温湿度状態を保持して吸気ガスを吸気せしめることができる。
【発明を実施するための最良の形態】
【００１７】
本発明の呼吸ガス用温湿度交換器について、最良の実施の形態を、図面を参照して説明する。
図１は本発明の呼吸ガス用温湿度交換器の一例を説明する呼吸用ガス流通路に沿って切載した断面図、図２は図１のＣ−Ｃ'線に沿って切載した断面図である。
【００１８】
図３は本発明に用いる補助湿熱蓄積体の態様の一例を説明する説明図で、（Ａ）はスパイラル型タイプのもの、（Ｂ）は同心重層タイプのものである。なお、図１ないし図３中において、図５ないし図８に図示した構成部分と共通する構成部については同一符号を付して、詳細な説明は省略する。
【００１９】
本発明の呼吸ガス用温湿度交換器１０が、従来の呼吸ガス用温湿度交換器と異なるところは、ハウジング３の患者側開口部１付近に補助湿熱蓄積体１１を設けた点である。
【００２０】
この補助湿熱蓄積体１１は、図８に示すコルゲート紙片４０をテープ状とし、これをスパイラル（渦巻）状に巻き重ねたもの（図３Ａ）や、短冊状のコルゲート紙片４０を環状に成形して、内径の異なる筒体を複数作成し、これを内径の小さいものから順に大きなものに挿入して同心円状に積層したもの（図３Ｂ）などが用いられる。
【００２１】
コルゲート紙片４０を構成する波形状紙片４１と平坦な紙片４３の材料は、先に説明したものと同様である。また、波形状紙片４１の寸法は、厚さ０.０１〜０.３０ｍｍの薄紙で、波高０.５〜３.０ｍｍ、ピッチ０.５〜５.０ｍｍである。
また、補助湿熱蓄積体１１には、吸湿性物質として、グリセリン、ポリビニルピロリドン、ポリアクリル酸、ポリアクリル酸塩類、ポリビニルアルコール、グリコール類、塩化カルシウム、および塩化リチウムから選択される少なくとも１種の化合物を含浸しておくこともできる。
【００２２】
この呼吸ガス用温湿度交換器１０は、患者に麻酔や人工呼吸を行うにあたって、以下の態様で使用される。
患者側開口部１に連結される気管内チューブ２０が、患者の気管に挿入され、ガス導入開口部２は麻酔器または人工呼吸器（図示せず）に接続される。この状態で、患者に呼吸を行わせると、呼吸ガス用温湿度交換器１０には、呼気と吸気が交互に通過する。
【００２３】
呼気の時には、呼気ガスが気管内チューブ２０より患者側開口部１を経てハウジング３内に流入する。その時、呼気ガスは患者側開口部１でここに配設された補助湿熱蓄積体１１に接触して通過し、呼気ガスに含まれる水分、熱の一部がこれに吸収され、蓄積される。
【００２４】
さらに、呼気ガスは、前記ハウジング３内に配設した湿熱蓄積体４を通過し、ここで呼気ガス中に含まれる熱がコルゲート紙片４０に伝熱し、呼気ガス自身は冷却され、過飽和の水分は凝縮して水滴となってコルゲート紙片４０に付着し、蓄積される。
この時に、呼気中の水分の一部が、予め患者側開口部１に配した補助湿熱蓄積体１１に吸湿されて低減されているので、冷却が過冷になったり、過剰な水分の凝縮による、吸湿性物質に吸湿されない過剰水滴の発生がなく、過剰な水分が水滴となってハウジング３内に滞留することが無い。
【００２５】
次いで、吸気の時は、吸気ガスがガス導入開口部２よりハウジング３内に流入し、湿熱蓄積体４を通過する。この時、コルゲート紙片４０に蓄積されていた水分、熱が吸気ガス中に放出され、吸気ガスはここで加温、加湿されて患者側開口部１に流入する。  そして、吸気ガスは、補助湿熱蓄積体１１に接触して通過する。この時に、呼気時に補助湿熱蓄積体１１に吸湿された水分が放出され、吸気ガスはこれによって更に加湿され、吸気はより自然呼吸に近い状態の温湿度の吸気ガスとなり、気管内チューブ２０を介して患者の気管に送気される。
【００２６】
このように、呼吸ガス用温湿度交換器１０においては、患者側開口部１に、補助湿熱蓄積体１１を設けたので、これにより呼気時の呼気中の水分を湿熱蓄積体４に至る前の患者側で捕捉できるので、患者側開口部や湿熱蓄積体４よりも患者側のハウジング内部での凝縮結露を減少せしめることができる。
その上、補助湿熱蓄積体１１は、コルゲート紙片４０を呼吸気の流れ方向に平行に重ね巻いてあるので、半径方向の気体の流れが制限される結果、熱及び水分の損失を低減することができる。
【００２７】
しかも、患者側開口部１で結露が生じても、この結露は患者側開口部１に配した補助湿熱蓄積体１１に吸収され、吸気の際に吸気を加湿するのに利用される効果を奏する。
この結果、この呼吸ガス用温湿度交換器１０は、吸気ガスに、常に適切な温度と湿度に加温加湿して、安定した温湿度状態を保持して吸気ガスを吸気せしめることが出来る。
【００２８】
なお、上記形態では、ハウジング３に配設される湿熱蓄積体４として、コルゲート紙片４０を積層として用いた例を示したが、これに限定されるものでなく、コルゲート紙片４０を巻いたもの、波状の紙を巻いたもの、綿状のもの、スポンジ状のものなどを用いることができる。
また、患者側開口部１に配設する補助湿熱蓄積体１１は、患者側開口部１から湿熱蓄積体４に隣接するまで伸びていてもよく、湿熱蓄積体４との間に間隔があってもよい。
【００２９】
（実施例）
以下の寸法諸元を有する本発明の呼吸ガス用温湿度交換器１０を製作した。
＜ハウジング３＞
容量：１４ｍＬ
内側寸法：直径２５ｍｍ
＜湿熱蓄積体４＞
●コルゲート紙片をスパイラル状に巻回したもの
材質：セルロース
厚さ：０.１５ｍｍ
波高：１ｍｍ
波形状のピッチ：３ｍｍ
全表面積：３００ｃｍ２
配設方法：コルゲート紙片４０を、波形状紙片４１と平坦な紙片４２の間に形成される空隙流路部４３が呼吸気の流れ方向に沿って配されるようにして、スパイラルに巻いたものを長さ１５ｍｍにしてハウジング３内に充填、配設した。
●吸湿性物質
塩化カルシウムを、スパイラル状に巻回されたコルゲート紙片４０に、均一に含有量２０ｗｔ％で含浸せしめた。
【００３０】
＜患者側開口部１＞
管口径：２０ｍｍ
長さ：２５ｍｍ
＜補助湿熱蓄積体１１＞
材質：セルロース
厚さ：０.１５ｍｍ
波高：１ｍｍ
波形状のピッチ：３ｍｍ
配設方法：コルゲート紙片４０を、波形状紙片４１と平坦な紙片４２の間に形成される空隙流路部４３が呼吸気の流れ方向に沿って配されるようにして、スパイラルに巻いたものを長さ９ｍｍにして患者側開口部１に充填配設した。
【００３１】
（比較例）
比較例として、患者側開口部１に補助湿熱蓄積体１１を配設しない、図６、図７に図示した従来の呼吸ガス用温湿度交換器５０を製作した。
その寸法諸元は、患者側開口部１に補助湿熱蓄積体１１を配設していない以外は、実施例と同様とした。
【００３２】
＜性能確認試験＞
実施例の呼吸ガス用温湿度交換器１０の性能を確認するため、比較例の呼吸ガス用温湿度交換器５０の性能と比較した。
性能試験は、それぞれの呼吸ガス用温湿度交換器を使用して、人工呼吸を行い、それぞれの交換器で吸気に付加される気体１Ｌ中に含有する水分の量（ｍｇ）［湿度（ｍｇ／Ｌ）］を、呼吸継続経過時間（分）に伴う変化量として測定した。なお、呼気の湿度は、４３ｍｇ／Ｌで一定とした。その結果を図４のグラフに図示する。
【００３３】
図４で明らかなように、実施例の呼吸ガス用温湿度交換器で得られる吸気の湿度は、比較例の呼吸ガス用温湿度交換器で得られる吸気の湿度より２〜４ｍｇ／Ｌ、呼吸継続経過時間中常に多く含有していることが確認され、呼気時における結露が減少され、水分と熱の損失が防止されていることが確認された。このため、自然呼吸に近い状態の吸気が常に気管に供給し得て、生体への負荷を著しく軽減し得る効果を発揮する。
【図面の簡単な説明】
【００３４】
【図１】本発明の呼吸ガス用温湿度交換器の一例を説明する、呼吸用ガス流通路に沿って切載した断面図。
【図２】図１のＣ−Ｃ'線に沿って切載した断面図。
【図３】本発明に用いる補助湿熱蓄積体の態様の一例を説明する説明図で、（Ａ）はスパイラル型タイプのもの、（Ｂ）は同心重層タイプのものである。
【図４】実施例と比較例の呼吸ガス用温湿度交換器で得られる吸気ガスの湿度の呼吸継続経過時間（分）に伴う変化を示すグラフ。
【図５】従来の呼吸ガス用温湿度交換器の一例を説明する斜視図。
【図６】図５のＡ−Ａ'に沿って切載した断面図。
【図７】図６のＢ−Ｂ'に沿って切載した断面図。
【図８】コルゲート紙片を説明する斜視図。
【符号の説明】
【００３５】
１０…呼吸ガス用温湿度交換器、１…患者側開口部、３…ハウジング、  ４…湿熱蓄積体、１１…補助湿熱蓄積体、４０…コルゲート紙片、  
【図１】
2006136461.tif 000003
【図２】
2006136461.tif 000004
【図３】
2006136461.tif 000005
【図４】
2006136461.tif 000006
【図５】
2006136461.tif 000007
【図６】
2006136461.tif 000008
【図７】
2006136461.tif 000009
【図８】
2006136461.tif 000010